(57)【特許請求の範囲】
【請求項１】
ディスプレイが配置された筐体が２個連結され、２個のディスプレイに跨って一つの画像を表示する携帯型電子機器であって、
前記画像に含まれる顔領域を検出する顔認識手段と、
表示位置及び表示サイズの条件を定義した標準配置の態様で前記画像を表示した場合に、前記検出された顔領域が２個のディスプレイに跨って表示されるか否かを判断する判断手段と、
前記顔領域が２個のディスプレイに跨らずに表示されると判断された場合、前記標準配置の態様で前記画像を表示し、前記顔領域が２個のディスプレイに跨って表示されると判断された場合、前記顔領域の全体が何れか一方のディスプレイに表示されるように表示位置及び／又は表示サイズを変更した態様で前記画像を表示する表示制御手段とを備え、
前記画像は、動画像データを構成する複数の画像の各々であり、
前記表示制御手段は、
表示対象となる画像において、検出された顔領域が標準配置の態様で表示された場合に２個のディスプレイに略二分されて表示されるとき、当該画像の時間的に前後する画像に含まれる前記顔領域の位置を用いて、前記顔領域が、第１のディスプレイ側から第２のディスプレイ側へと移動しているか否かを判定する判定部と、
前記判定部が肯定的な判定を行った場合に、前記第２のディスプレイをシフト先ディスプレイとして特定する特定部と、
前記シフト先ディスプレイに、前記顔領域の全体が表示されるように、表示位置及び／又は表示サイズを変更する変更部とを有する
ことを特徴とする携帯型電子機器。
【請求項２】
ディスプレイが配置された筐体が２個連結され、２個のディスプレイに跨って一つの画像を表示する携帯型電子機器で用いられる表示制御方法であって、
前記画像に含まれる顔領域を検出する顔認識ステップと、
表示位置及び表示サイズの条件を定義した標準配置の態様で前記画像を表示した場合に、前記検出された顔領域が２個のディスプレイに跨って表示されるか否かを判断する判断ステップと、
前記顔領域が２個のディスプレイに跨らずに表示されると判断された場合、前記標準配置の態様で前記画像を表示し、前記顔領域が２個のディスプレイに跨って表示されると判断された場合、前記顔領域の全体が何れか一方のディスプレイに表示されるように表示位置及び／又は表示サイズを変更した態様で前記画像を表示する表示制御ステップとを含み、
前記画像は、動画像データを構成する複数の画像の各々であり、
前記表示制御ステップは、
表示対象となる画像において、検出された顔領域が標準配置の態様で表示された場合に２個のディスプレイに略二分されて表示されるとき、当該画像の時間的に前後する画像に含まれる前記顔領域の位置を用いて、前記顔領域が、第１のディスプレイ側から第２のディスプレイ側へと移動しているか否かを判定する判定ステップと、
前記判定ステップが肯定的な判定を行った場合に、前記第２のディスプレイをシフト先ディスプレイとして特定する特定ステップと、
前記シフト先ディスプレイに、前記顔領域の全体が表示されるように、表示位置及び／又は表示サイズを変更する変更ステップとを有する
ことを特徴とする表示制御方法。
【請求項３】
ディスプレイが配置された筐体が２個連結され、２個のディスプレイに跨って一つの画像を表示する携帯型電子機器で用いられる表示制御プログラムであって、
前記画像に含まれる顔領域を検出する顔認識ステップと、
表示位置及び表示サイズの条件を定義した標準配置の態様で前記画像を表示した場合に、前記検出された顔領域が２個のディスプレイに跨って表示されるか否かを判断する判断ステップと、
前記顔領域が２個のディスプレイに跨らずに表示されると判断された場合、前記標準配置の態様で前記画像を表示し、前記顔領域が２個のディスプレイに跨って表示されると判断された場合、前記顔領域の全体が何れか一方のディスプレイに表示されるように表示位置及び／又は表示サイズを変更した態様で前記画像を表示する表示制御ステップとを前記携帯型電子機器のコンピュータに実行させ、
前記画像は、動画像データを構成する複数の画像の各々であり、
前記表示制御ステップは、
表示対象となる画像において、検出された顔領域が標準配置の態様で表示された場合に２個のディスプレイに略二分されて表示されるとき、当該画像の時間的に前後する画像に含まれる前記顔領域の位置を用いて、前記顔領域が、第１のディスプレイ側から第２のディスプレイ側へと移動しているか否かを判定する判定ステップと、
前記判定ステップが肯定的な判定を行った場合に、前記第２のディスプレイをシフト先ディスプレイとして特定する特定ステップと、
前記シフト先ディスプレイに、前記顔領域の全体が表示されるように、表示位置及び／又は表示サイズを変更する変更ステップとを有する
ことを特徴とする表示制御プログラム。
【発明の詳細な説明】
【技術分野】
【０００１】
本発明は、２画面を搭載した携帯型電子機器に関し、特に、コンテンツの表示制御に関する。
【背景技術】
【０００２】
近年、スマートフォンが普及し始め、携帯電話機の更なる高機能化が進み、携帯電話機の画面は拡大化する傾向にある。このようなスマートフォンの画面は、一例として３．５インチ程度である。
更に、３．５インチ程度の画面を２個搭載した携帯電話機も開発されている。このような２画面を搭載した携帯電話機では、それぞれの画面に別々の画像を表示することもできるが、２個の画面を４．７インチ相当の１画面として使用すれば、一つの画像を大きく表示することができる。
【先行技術文献】
【特許文献】
【０００３】
【特許文献１】特開２００９−７１５８８号公報
【発明の概要】
【発明が解決しようとする課題】
【０００４】
２個の画面に一つの画像を表示する場合、２個の画面がそれぞれ配された筐体の枠により、画像が割れて表示されることになる。特に、映画やテレビドラマ等の再生中に人物の顔が２個の画面に跨って表示されると、ユーザに大きな不快感を与えるという問題がある。
そこで、本発明は、上記の問題点に鑑みなされたものであって、２画面を搭載した携帯型電子機器において、２個の画面に跨って一つの画像を表示する利用方法のとき、ユーザに与える不快感を軽減することができる携帯型電子機器、表示制御方法、及び表示制御プログラムを提供することを目的とする。
【課題を解決するための手段】
【０００５】
上記の目的を達成するために、本発明の携帯型電子機器は、ディスプレイが配置された筐体が２個連結され、２個のディスプレイに跨って一つの画像を表示する携帯型電子機器であって、前記画像に含まれる顔領域を検出する顔認識手段と、表示位置及び表示サイズの条件を定義した標準配置の態様で前記画像を表示した場合に、前記検出された顔領域が２個のディスプレイに跨って表示されるか否かを判断する判断手段と、前記顔領域が２個のディスプレイに跨らずに表示されると判断された場合、前記標準配置の態様で前記画像を表示し、前記顔領域が２個のディスプレイに跨って表示されると判断された場合、前記顔領域の全体が何れか一方のディスプレイに表示されるように表示位置及び／又は表示サイズを変更した態様で前記画像を表示する表示制御手段とを備えることを特徴とする。
【発明の効果】
【０００６】
上記の構成により、前記携帯型電子機器は、２個のディスプレイに跨って一つの画像を表示するとき、何れか一方のディスプレイに顔領域の全体を表示するので、ユーザに与える不快感を軽減することができる。
【図面の簡単な説明】
【０００７】
【図１】携帯型電子機器１の外観図である。
【図２】開状態のときに各ディスプレイに表示される画像の例を示す図である。
【図３】携帯型電子機器１の構成を機能的に示す機能ブロック図である。
【図４】標準配置について説明するための図である。
【図５】顔領域が検出された場合の実施形態１に係る配置変更を説明するための図である。
【図６】実施形態１のコンテンツ再生処理の動作を示すフローチャートである。
【図７】実施形態１の効果について説明するための図である。
【図８】顔領域が検出された場合の実施形態２に係る配置変更を説明するための図である。
【図９】実施形態２のコンテンツ再生処理の動作を示すフローチャートである。
【図１０】実施形態２の効果について説明するための図である。
【発明を実施するための形態】
【０００８】
＜１．実施形態１＞
以下では、本発明に係る携帯型電子機器の一つの実施形態である携帯型電子機器１について、図面を参照しながら説明する。
＜１−１．概要＞
図１は、携帯型電子機器１の外観を示す図である。携帯型電子機器１は、上部筐体１１及び下部筐体１２から構成される。上部筐体１１には第１ディスプレイ１０１が配され、下部筐体１２には、第２ディスプレイ１０２が配されている。ここで、各筐体において、ディスプレイが配されている面を「主表面」と記載する。上部筐体１１及び下部筐体１２は、結合部１３にて連結されている。結合部１３は、その基端側が下部筐体１２に回転自在に軸支されており、先端側が上部筐体１１をスライド移動並びに回転自在に支持している。
【０００９】
図１（ａ）に示す閉状態では、下部筐体１２の主表面の上に、上部筐体１１が重なるように位置する。上部筐体１１により第２ディスプレイ１０２が隠れているため、第１ディスプレイ１０１のみが視認可能である。
携帯型電子機器１は、このような閉状態から、図１（ｂ）に示すように、上部筐体１１をスライドさせて、図１（ｃ）に示す開状態に変形させることができる。開状態では、上部筐体１１の主表面と下部筐体１２の主表面とが略同一平面状に位置し、第１ディスプレイ１０１及び第２ディスプレイ１０２の両方が視認可能となる。
【００１０】
携帯型電子機器１は、開状態のとき、図２（ａ）に示すように、各ディスプレイにそれぞれ別々の画像を表示することもできるし、図２（ｂ）に示すように、一つの画像を第１ディスプレイ１０１及び第２ディスプレイ１０２に跨って大きく表示することもできる。
本実施形態では、携帯型電子機器１が映画やテレビドラマ等の動画像データ（以下、「コンテンツ」と記載する。）を再生する場合の処理について説明する。
【００１１】
携帯型電子機器１は、コンテンツを再生する際に、コンテンツを、図２（ｂ）に示すように、第１ディスプレイ１０１及び第２ディスプレイ１０２に跨って大きく表示する。このとき、携帯型電子機器１は、コンテンツを構成するフレーム画像（以下、単に「画像」と記載する。）に特定の人物の顔が含まれるか否かを判断する。そして、特定の人物の顔が含まれる場合には、携帯型電子機器１は、その人物の顔が、第１ディスプレイ１０１及び第２ディスプレイ１０２に跨らずに表示されるように、必要に応じて当該画像の表示位置を変更するシフト処理を行う。
＜１−２．携帯型電子機器１の内部構成＞
図３は、携帯型電子機器１の内部構成を機能的に示すブロック図である。
【００１２】
同図に示すように、携帯型電子機器１は、第１ディスプレイ１０１、第２ディスプレイ１０２、システム制御部１０３、通信制御部１０４、アンテナ１０５、記憶部１０６、コンテンツ用バッファメモリ１０７、スピーカ１０８、及びコンテンツ表示制御部１０９から構成される。
携帯型電子機器１は、具体的には、プロセッサ、ＲＯＭ、ＲＡＭなどを備えたコンピュータシステムである。ＲＯＭである記憶部１０６には、システム制御プログラム、コンテンツ表示制御プログラム、通信制御プログラム等のコンピュータプログラムが記憶されている。システム制御部１０３、通信制御部１０４、及びコンテンツ表示制御部１０９は、それぞれ、記憶部１０６に記憶されているコンピュータプログラムをプロセッサが実行することによりその機能を実現する。
【００１３】
第１ディスプレイ１０１は、入力デバイスであるタッチバッド１１１と、表示デバイスであるＬＣＤ（Ｌｉｑｕｉｄ  Ｃｒｙｓｔａｌ  Ｄｉｓｐｌａｙ）１１２とを含む。なお、図示していないが、第１ディスプレイは、光源であるＬＥＤ（Ｌｉｇｈｔ  Ｅｍｉｔｔｉｎｇ  Ｄｉｏｄｅ）バックライトを含む。
第２ディスプレイ１０２も同様に、タッチパッド１２１とＬＣＤ１２２とＬＥＤバックライトとを含む。ＬＣＤ１１２及びＬＣＤ１２２は、一例として、３．５インチであり、最大で８００×４８０ピクセルの画像を表示することが可能であるとする。
【００１４】
タッチパッド１１１及び１２１は、静電容量方式のタッチセンサを含み、それぞれ、ＬＣＤ１１２及び１２２に重畳して設けられている。タッチパッド１１１及び１２１は、透明部材で構成され、ＬＣＤ１１２及び１２２に表示された画像が見えるように構成されている。また、タッチパッド１１１及び１２１は、ユーザの指等の接触を検出し、検出している間、単位時間（例えば、２５ｍｓ）毎に、その接触位置の座標値（ｘ，ｙ）をシステム制御部１０３に出力する。
【００１５】
システム制御部１０３は、携帯型電子機器１の各機能ブロックと接続されており、携帯型電子機器１の全体を制御する。
通信制御部１０４は、アンテナ１０５を介して、図示していない外部のコンテンツサーバからコンテンツを受信する。
コンテンツ用バッファメモリ１０７は、通信制御部１０４が受信したコンテンツを、システム制御部１０３を介して一時的に記憶するためのメモリ領域（ＲＡＭ）である。システム制御部１０３は、コンテンツ表示制御部１０９の処理速度に合わせてコンテンツ用バッファメモリ１０７から順次画像を読み出し、読み出した画像をコンテンツ表示制御部１０９へ出力する。なお、コンテンツを構成する各画像は、すべての画像が同一の所定サイズ（例えば、１０２４×７６８ピクセル、１２８０×９６０ピクセル等）であってもよいし、画像毎にサイズが可変であってもよい。
＜１−３．コンテンツ表示制御部１０９の詳細＞
ここでは、コンテンツ表示制御部１０９の機能的構成について詳細に説明する。
【００１６】
コンテンツ表示制御部１０９は、コンテンツを構成する各画像を表示するための配置を決定し、決定した配置で各画像を第１ディスプレイ及び第２ディスプレイに出力する。
図３に示すように、コンテンツ表示制御部１０９は、フレームメモリ展開部１３１、顔認識部１３２、判断部１３３、配置変更部１３４、及び出力部１３５から構成される。
フレームメモリ展開部１３１は、表示サイズ及び表示位置を定義した情報である標準配置１４１を予め保持している。フレームメモリ展開部１３１は、フレームメモリ１４４を含み、システム制御部１０３から順次画像を受け取ると、受け取った画像を標準配置１４１で示される態様でフレームメモリ１４４に展開する。
【００１７】
標準配置１４１は、具体的には、図４（ａ）に示すように、表示サイズ１４２（９６０×８００）及び表示位置１４３（０，０）から構成される。
表示サイズ１４２は、１フレームの表示サイズを画素数で表している。フレームメモリ展開部１３１は、受信したコンテンツのデータ量（画素数）が多い場合には、１フレーム当たりの画素数が９６０×８００ピクセルになるように画素を間引く。逆に、受信したコンテンツのデータ量（画素数）が少ない場合には、１フレームの画素数が９６０×８００ピクセルになるように画素を補完する。
【００１８】
表示位置１４３は、フレームメモリ１４４に画像を書き込むときの書き込み位置を指定する情報であり、フレームメモリ１４４の基準点に書き込む画素の座標値を表している。
ここで、フレームメモリ１４４は、図４（ｂ）に示すように、左上端部Ａを基準点（０，０）とし、フレームメモリ１４４内の位置（アドレス）を、基準点から水平方向にｘ軸とし、垂直方向にｙ軸としたｘｙ座標系で表す。
【００１９】
さらに、「画素の座標値」とは、画像を構成する左上端部の画素２０１を基準（０，０）とし、基準の画素２０１から水平方向をｘ軸とし、垂直方向をｙ軸としたｘｙ座標系における各画素の座標値（ｘ，ｙ）である。
標準配置１４１では表示位置１４３（０，０）であるから、フレームメモリ展開部１３１は、画像の左上端部の画素２０１（０，０）をフレームメモリ１４４の左上端部Ａ（０，０）に合わせて書き込む。
【００２０】
さらにフレームメモリ展開部１３１は、画像の右上端部の画素２０２（９５９，０）を、フレームメモリ１４４の右上端部Ｂに合わせ、画像の右下端部の画素２０３（９５６，７９７）を、フレームメモリ１４４の右下端部Ｃに合わせ、画像の左下端部の画素２０４（０，７９７）を、フレームメモリ１４４の左下端部Ｄに合わせるようにして、当該画像を構成するすべての画素をフレームメモリ１４４に書き込む。
【００２１】
フレームメモリ１４４に展開されている画像を第１ディスプレイ１０１及び第２ディスプレイ１０２に出力するとき、後述する出力部１３５が、フレームメモリ１４４の右半分の領域１４５に配置されている右画像を、図４（ｃ）の第１ディスプレイ１０１に出力し、フレームメモリ１４４の左半分の領域１４６に配置されている左画像を、図４（ｃ）の第２ディスプレイ１０２に出力する。
【００２２】
顔認識部１３２は、標準配置１４１で示される態様でフレームメモリ１４４に展開されている各画像から、周知の顔認識技術を用いて、特定人物の顔が含まれる領域である「顔領域」を検出する機能を有する。
具体的には、顔認識部１３２は、人物の顔に含まれる特徴点（例えば、目、鼻、唇、眉の端点、頭頂点、顎の下端点等）に関する顔データを予め保持している。そして、顔認識部１３２は、フレームメモリ１４４に展開されている画像から特徴点を抽出し、抽出した特徴点と顔データとを用いて、人物の顔を検出する。その後、顔認識部１３２は、検出された人物の顔と、予め与えられている特定人物の顔との類似度を判断して、検出された人物の顔が、特定人物の顔であるか否かを判断する。
【００２３】
そして、顔認識部１３２は、検出された人物の顔が、特定人物の顔であると判断する場合、特定人物の顔を含む矩形を形成する４頂点のフレームメモリ１４４上の座標値を特定する。本実施形態では、このように、特定人物の顔を含む矩形を形成する４頂点の座標値を特定することを「顔領域を検出する」と記載する。なお、一つのフレームに特定人物の顔を含む複数の人物の顔が含まれる場合には、本実施形態の顔認識部１３２は、特定の人物の顔領域のみを検出する。
【００２４】
判断部１３３は、顔認識部１３２により顔領域が検出された場合、当該画像が標準配置１４１で示される態様で出力された場合に、検出された顔領域が、第１ディスプレイ１０１及び第２ディスプレイ１０２に跨って表示されるか否かを判断する。
例えば、フレームメモリ１４４に、図５（ａ）に示す画像１５０が展開されている場合を考える。画像１５０は、顔領域１５１を含む。
【００２５】
判断部１３３は、顔認識部１３２にて特定された顔領域１５１を構成する４頂点ａ、ｂ、ｃ及びｄそれぞれのｘ座標値を取得し、取得した各ｘ座標値と、フレームメモリ１４４を二分する中心線ＥＦのｘ座標値（ｘＥＦ＝４８０）とを用いて、顔領域１５１が第１ディスプレイ１０１及び第２ディスプレイ１０２に跨って表示されるか否かを判断する。
具体的には、すべてのｘ座標値が４８０より小さい場合、判断部１３３は、顔領域１５１の全体が第２ディスプレイ１０２に表示されると判断する。また、すべてのｘ座標値が４８０以上の場合、判断部１３３は、顔領域１５１の全体が第１ディスプレイ１０１に表示されると判断する。また、すべてのｘ座標値が４８０以下若しくはすべてのｘ座標値が４８０以上の場合を除いて、判断部１３３は、顔領域１５１が第１ディスプレイ１０１及び第２ディスプレイ１０２に跨って表示されると判断する。
【００２６】
もし仮に顔領域１５１が２個のディスプレイに跨らずに表示される場合には、顔領域１５１を含む画像１５０は、標準配置１４１で示される態様のまま出力すればよい。図５（ａ）の例では、顔領域１５１は、２個のディスプレイに跨って表示されるため、シフト処理の必要がある。
配置変更部１３４は、判断部１３３において、顔領域が第１ディスプレイ１０１及び第２ディスプレイ１０２に跨って表示されると判断された場合に、フレームメモリ１４４に展開されている画像の表示位置を変更するシフト処理を行う。
【００２７】
ここでは、図５（ａ）に示す画像１５０がフレームメモリ１４４に配置されている場合、及び、図５（ｃ）に示す画像１６０がフレームメモリ１４４に配置されている場合のシフト処理の具体例について説明する。
（１）画像１５０の場合
図５（ａ）は、画像１５０が、標準配置１４１で示される態様でフレームメモリ１４４に展開されている状態を表している。配置変更部１３４は、顔領域１５１のうち、フレームメモリ１４４の中心線ＥＦより左側の領域ａｅｆｄの面積、及び、中心線ＥＦより右側の領域ｅｂｃｆの面積を算出し、算出された面積を比較する。ここでは、左側の領域ａｅｆｄの面積が大きいため、配置変更部１３４は、領域ａｅｆｄが表示されるディスプレイである第２ディスプレイ１０２を「シフト先ディスプレイ」に特定する。
【００２８】
配置変更部１３４は、顔領域１５１を構成する辺ａｂ及びｄｃのうち、シフト先ディスプレイからはみ出す部分ｅｂ及びｆｃの長さである「はみ出し量ｌ」を算出する。ここではｌ＝１２０ピクセルとする。
配置変更部１３４は、標準配置１４１で示される態様でフレームメモリ１４４に展開されている画像１５０の表示位置を変更し、座標値が（１２０，０）である画素をフレームメモリ１４４の左上端部Ａに合わせて、再度、画像１５０をフレームメモリ１４４に書き直す。
【００２９】
これにより、図５（ｂ）に示すように、はみ出し量ｌ＝１２０ピクセル分だけ画像１５０が左にシフトし、顔領域１５１の全体が、シフト先ディスプレイである第２ディスプレイ１０２に表示されることになる。なお、受信した画像のサイズが９６０×８００ピクセルより大きい場合や、時間的に前後する画像のサイズが９６０×８００ピクセルより大きい場合には、配置変更部１３４は、これらのデータを用いて、図５（ｂ）の斜線部分の画素を補完してもよい。
【００３０】
（２）画像１６０の場合
図５（ｃ）は、画像１６０が、標準配置１４１で示される態様でフレームメモリ１４４に展開されている状態を表している。配置変更部１３４は、顔領域１６１のうち、フレームメモリ１４４の中心線ＥＦより左側の領域ａｅｆｄの面積、及び、中心線ＥＦより右側の領域ｅｂｃｆの面積を算出し、算出された面積を比較する。ここでは、右側の領域ｅｂｃｆの面積が大きいため、配置変更部１３４は、領域ｅｂｃｆが表示されるディスプレイである第１ディスプレイ１０１を「シフト先ディスプレイ」に特定する。
【００３１】
配置変更部１３４は、顔領域１６１を構成する辺ａｂ及びｄｃのうち、シフト先ディスプレイからはみ出す部分ａｅ及びｄｆの長さである「はみ出し量ｌ」を算出する。ここではｌ＝６０ピクセルとする。
配置変更部１３４は、標準配置１４１で示される態様でフレームメモリ１４４に展開されている画像１６０の表示位置を変更し、座標値が（０，０）の画素を、フレームメモリ１４４のＡ２に合わせて、再度、画像１６０をフレームメモリ１４４に書き直す。
【００３２】
これにより、図５（ｄ）に示すように、はみ出し量ｌ＝６０ピクセル分だけ画像１６０が右にシフトし、顔領域１６１の全体が、シフト先ディスプレイである第１ディスプレイ１０１に表示されることになる。なお、上述した画像１５０の場合と同様に、配置変更部１３４は、図５（ｄ）の斜線部分の画素を補完してもよい。
出力部１３５は、フレームメモリ１４４に展開されている画像を、第１ディスプレイ１０１及び第２ディスプレイ１０２に出力する。このとき、上述したように、出力部１３５は、左画像を第２ディスプレイ１０２に出力し、右画像を第１ディスプレイに出力する。
＜１−４．携帯型電子機器１の動作＞
ここでは、図６に示すフローチャートを用いて、携帯型電子機器１によるコンテンツ表示制御の動作について説明する。
【００３３】
図６の動作は、ユーザ操作によるコンテンツ再生の指示を受け付けることにより開始する。
コンテンツ表示制御部１０９は、システム制御部１０３から受け取る画像毎に、ステップＳ１からステップＳ１６までの処理を繰り返す。
先ず、フレームメモリ展開部１３１は、受け取った画像を、標準配置１４１で示される態様（表示サイズ９６０×８００及び表示位置（０，０））で、フレームメモリ１４４に展開する（ステップＳ２）。
【００３４】
次に、顔認識部１３２は、フレームメモリ１４４に展開されている画像の顔認識処理を行う（ステップＳ３）。顔認識処理の結果、特定人物の顔を含む顔領域が検出されなかった場合（ステップＳ４でＮＯ）、ステップＳ１５に進む。
顔認識処理の結果、特定人物の顔を含む顔領域が検出された場合（ステップＳ４でＹＥＳ）、判断部１３３は、顔認識部１３２から顔領域を構成する４頂点の座標値を取得し（ステップＳ５）、顔領域がフレームメモリ１４４の中心線により分割されるか否か判断する。顔領域が分割されない場合（ステップＳ６でＮＯ）、すなわち、顔領域の全体が、第１ディスプレイ１０１又は第２ディスプレイ１０２の何れかに表示される場合には、ステップＳ１５に進む。
【００３５】
顔領域が分割される場合（ステップＳ６でＹＥＳ）、配置変更部１３４は、第１ディスプレイ１０１に表示される領域の面積と、第２ディスプレイ１０２に表示される面積とを算出する（ステップＳ７）。
第１ディスプレイ１０１に表示される領域の面積が大きい場合、又は、面積が等しい場合（ステップＳ８でＹＥＳ）、配置変更部１３４は、第１ディスプレイ１０１をシフト先ディスプレイに特定する（ステップＳ９）。そして、顔領域のうち、第１ディスプレイ１０１からはみ出す長さである「はみ出し量ｌ」を算出する（ステップＳ１０）。そして、配置変更部１３４は、表示サイズは変更せず、はみ出し量ｌだけ、画像を右へシフトしてフレームメモリ１４４に再展開する（ステップＳ１１）。
【００３６】
第２ディスプレイ１０２に表示される領域の面積が大きい場合（ステップＳ８でＮＯ）、配置変更部１３４は、第２ディスプレイ１０２をシフト先ディスプレイに特定する（ステップＳ１２）。そして、顔領域のうち、第２ディスプレイ１０２からはみ出す長さである「はみ出し量ｌ」を算出する（ステップＳ１３）。そして、配置変更部１３４は、表示サイズは変更せず、はみ出し量ｌだけ、画像を左へシフトしてフレームメモリ１４４に再展開する（ステップＳ１４）。
【００３７】
続いて、出力部１３５は、フレームメモリ１４４から画像を読み出して、第１ディスプレイ１０１及び第２ディスプレイ１０２に出力する（ステップＳ１５）。
コンテンツを構成するすべての画像について処理が終わると、コンテンツ再生が終了する。
＜１−５．実施形態１の効果＞
図７（ａ）に示すように、従来、画像に含まれる顔領域が第１ディスプレイ１０１及び第２ディスプレイ１０２に跨って表示されていたのに対して、本実施形態の携帯型電子機器１を用いれば、図７（ｂ）のように、画像を左にシフトし、顔領域の全体が第２ディスプレイ１０２に収まるように、配置を変更することができる。
【００３８】
これにより、コンテンツの再生中にユーザに与える不快感を軽減することができる。
＜２．実施形態２＞
以下では、本発明に係る携帯型電子機器の別の実施形態について、図面を参照しながら説明する。
＜２−１．概要＞
上記の実施形態１では、顔領域が２個のディスプレイに跨る場合には、画像を右又は左にシフトすることにより、顔領域が２個のディスプレイに跨らずに表示されるように制御した。
【００３９】
これに対して、実施形態２では、画像の表示サイズを変更することにより、又は、画像の表示サイズ及び表示位置を変更することにより、顔領域が２個のディスプレイに跨らずに表示されるように制御する。
実施形態２に係る携帯型電子機器の構成は、図１〜図３に示した携帯型電子機器１と同様であるため、詳細な説明を省略する。以下では、実施形態１と異なる部分を中心に説明する。なお、便宜上、実施形態２に係る携帯型電子機器の構成要素について、図３に記載した符号を用いて説明する。
＜２−２．配置変更部１３４の処理＞
ここでは、図８（ａ）に示す画像１７０がフレームメモリ１４４に配置されている場合、及び、図８（ｃ）に示す画像１８０がフレームメモリ１４４に配置されている場合に、配置変更部１３４が行う処理の具体例について説明する。
【００４０】
（１）画像１７０の場合
図８（ａ）は、画像１７０が、標準配置１４１で示される態様でフレームメモリ１４４に展開されている状態を表している。配置変更部１３４は、顔領域１７１のうち、フレームメモリ１４４の中心線ＥＦより左側の領域ａｅｆｄの面積、及び、中心線ＥＦより右側の領域ｅｂｃｆの面積を算出し、算出された面積を比較する。ここでは、左側の領域ａｅｆｄの面積が大きいため、配置変更部１３４は、領域ａｅｆｄが表示されるディスプレイである第２ディスプレイ１０２を「シフト先ディスプレイ」に特定する。
【００４１】
配置変更部１３４は、顔領域１７１を構成する辺ａｂ及びｄｃのうち、シフト先ディスプレイ１０２からはみ出す部分ｅｂ及びｆｃの長さである「はみ出し量ｌ」を算出する。さらに、配置変更部１３４は、辺ａｂ及びｄｃの長さＬに対するｌの割合である「はみ出し割合ｒ」を算出する。ここでは、ｒ＝ｌ／Ｌ＝０．２とする。
配置変更部１３４は、標準配置１４１で示される態様でフレームメモリ１４４に展開されている画像１７０の表示サイズを２０％縮小し、７６８×６４０ピクセルの画像に変更する。そして、７６８×６４０ピクセルの画像１７０の座標値が（０，０）である画素をフレームメモリ１４４の左上端部Ａに合わせて、再度、画像１７０をフレームメモリ１４４に書き直す。
【００４２】
これにより、図８（ｂ）に示すように、画像１７０が２０％縮小することにより、顔領域１７１の全体が、シフト先ディスプレイである第２ディスプレイ１０２に表示されることになる。なお、上述した画像１５０の場合と同様に、配置変更部１３４は、図８（ｂ）の斜線部分の画素を補完してもよい。
（２）画像１８０の場合
図５（ｃ）は、画像１８０が、標準配置１４１で示される態様でフレームメモリ１４４に展開されている状態を表している。配置変更部１３４は、顔領域１８１のうち、フレームメモリ１４４の中心線ＥＦより左側の領域ａｅｆｄの面積、及び、中心線ＥＦより右側の領域ｅｂｃｆの面積を算出し、算出された面積を比較する。ここでは、右側の領域ｅｂｃｆの面積が大きいため、配置変更部１３４は、領域ｅｂｃｆが表示されるディスプレイである第１ディスプレイ１０１を「シフト先ディスプレイ」に特定する。
【００４３】
配置変更部１３４は、顔領域１８１を構成する辺ａｂ及びｄｃのうち、シフト先ディスプレイからはみ出す部分ａｅ及びｄｆの長さである「はみ出し量ｌ」を算出する。さらに、配置変更部１３４は、辺ａｂ及びｄｃの長さＬに対するｌの割合である「はみ出し割合ｒ」を算出する。ここでは、ｒ＝ｌ／Ｌ＝０．２とする。
配置変更部１３４は、標準配置１４１で示される態様でフレームメモリ１４４に展開されている画像１８０の表示サイズを２０％縮小し、７６８×６４０ピクセルの画像に変更する。そして、７６８×６４０ピクセルの画像１７０の座標値が（７６７，０）である右上端部の画素をフレームメモリ１４４の右上端部Ｂに合わせて、再度、画像１８０をフレームメモリ１４４に展開しなおす。
【００４４】
これにより、図８（ｄ）に示すように、画像１８０が２０％縮小し、且つ、表示位置をシフトすることにより、顔領域１８１の全体が、シフト先ディスプレイである第１ディスプレイ１０１に表示されることになる。なお、上述した画像１５０の場合と同様に、配置変更部１３４は、図８（ｄ）の斜線部分の画素を補完してもよい。
＜２−３．実施形態２に係る携帯型電子機器の動作＞
ここでは、図９に示すフローチャートを用いて、実施形態２に係る携帯型電子機器によるコンテンツ表示制御の動作について説明する。図９の動作は、ユーザ操作によるコンテンツ再生の指示を受け付けることにより開始する。
【００４５】
コンテンツ表示制御部１０９は、システム制御部１０３から受け取る画像毎に、ステップＳ２１からステップＳ３６までの処理を繰り返す。
先ず、フレームメモリ展開部１３１は、受け取った画像を、標準配置１４１で示される態様（表示サイズ９６０×８００及び表示位置（０，０））でフレームメモリ１４４に展開する（ステップＳ２２）。
【００４６】
次に、顔認識部１３２は、フレームメモリ１４４に展開されている画像の顔認識処理を行う（ステップＳ２３）。顔認識処理の結果、特定人物の顔を含む顔領域が検出されなかった場合（ステップＳ２４でＮＯ）、ステップＳ３５に進む。
顔認識処理の結果、特定人物の顔を含む顔領域が検出された場合（ステップＳ２４でＹＥＳ）、判断部１３３は、顔認識部１３２から顔領域を構成する座標値を取得し（ステップＳ２５）、顔領域が分割されるか否か判断する。顔領域が分割されない場合（ステップＳ２６でＮＯ）、すなわち、顔領域の全体が、第１ディスプレイ１０１又は第２ディスプレイ１０２の何れかに表示される場合には、ステップＳ３５に進む。
【００４７】
顔領域が分割される場合（ステップＳ２６でＹＥＳ）、配置変更部１３４は、第１ディスプレイ１０１に表示される領域の面積と、第２ディスプレイ１０２に表示される面積とを算出する（ステップＳ２７）。
第１ディスプレイ１０１に表示される領域の面積が大きい場合、又は、面積が等しい場合（ステップＳ２８でＹＥＳ）、配置変更部１３４は、第１ディスプレイ１０１をシフト先ディスプレイに特定する（ステップＳ２９）。そして、顔領域のうち、第１ディスプレイ１０１からはみ出している割合である「はみ出し割合ｒ」を算出する（ステップＳ３０）。配置変更部１３４は、画像の表示サイズを９６０（１−ｒ）×８００（１−ｒ）に縮小し、且つ、表示位置を右上端へシフトしてフレームメモリ１４４に再展開する（ステップＳ３１）。
【００４８】
第２ディスプレイ１０２に表示される領域の面積が大きい場合（ステップＳ２８でＮＯ）、配置変更部１３４は、第２ディスプレイ１０２をシフト先ディスプレイに特定する（ステップＳ３２）。そして、顔領域のうち、第２ディスプレイ１０２からはみ出している割合である「はみ出し割合ｒ」を算出する（ステップＳ３３）。配置変更部１３４は、画像の表示サイズを９６０（１−ｒ）×８００（１−ｒ）に縮小し、表示位置は変更せずに、フレームメモリ１４４に再展開する（ステップＳ３４）。
【００４９】
続いて、出力部１３５は、フレームメモリ１４４から画像を読み出して、第１ディスプレイ１０１及び第２ディスプレイ１０２に出力する（ステップＳ３５）。
コンテンツを構成するすべての画像について処理が終わると、コンテンツ再生が終了する。
＜２−４．実施形態２の効果＞
図１０（ａ）に示すように、従来、画像に含まれる顔領域が第１ディスプレイ１０１及び第２ディスプレイ１０２に跨って表示されていたのに対して、本実施形態の携帯型電子機器を用いれば、図１０（ｂ）のように、画像を縮小することにより、顔領域の全体が第２ディスプレイ１０２に収まるように、配置を変更することができる。
【００５０】
これにより、コンテンツの再生中にユーザに与える不快感を軽減することができる。
＜３．変形例＞
以上、本発明に係る携帯型電子機器の実施形態を説明したが、例示した携帯型電子機器を以下のように変形することも可能であり、本発明が上述の実施形態で示したとおりの携帯型電子機器に限られないことは勿論である。
（１）上記の実施形態では、コンテンツは、映画やテレビドラマなどの動画像データを例に説明した。しかし、本発明はこれに限定されない。コンテンツは、静止画データであってもよい。
（２）本発明に係る携帯型電子機器は、図１に示したようなスライド式のものに限定されない。携帯型電子機器は、ディスプレイが配置された２個の筐体が折り畳み式に接続された構成でもよい。折り畳み式とは、閉状態においては、ディスプレイが配置された主表面同士が対向することにより両ディスプレイが視認不可能であり、開状態において、２個のディスプレイが同時に視認可能となる構成を言う。
（３）本発明は、携帯型電子機器１を備えた携帯電話機であってもよい。携帯電話機は、図３の構成に加えて、無線通信用のアンテナ、無線通信部、信号処理部、レシーバ、マイクなどを備える。また、携帯型電子機器１を備えた携帯電話機に限定されず、携帯型電子機器１を備えた携帯型ゲーム機、携帯型音楽プレーヤなど各種の情報端末も本発明に含まれる。
（４）上記の実施形態では、各タッチパッドは、静電容量方式のタッチセンサにより実現されるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００５１】
また、各タッチパッドの検出方式は、静電容量方式に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画像に光センサを組み込んで接触位置を検知する光センサ方式等、適宜なものを用いてもよい。
（５）上記の実施形態では、検出された顔領域が２個のディスプレイにより略二分される場合には、顔領域が第１ディスプレイ１０１に表示されるように配置を変更した。しかし、顔領域が第２ディスプレイ１０２に表示されるように配置を変更しても良いことは言うまでも無い。
【００５２】
更には、検出された顔領域が２個のディスプレイにより略二分される場合には、上記のように予め設定されている一方のディスプレイに顔領域が表示されるように配置を変更する場合に限定されない。
例えば、現在処理中の画像に顔領域が含まれ、顔領域が２個のディスプレイにより略二分される場合には、当該画像と時間的に前後する画像の顔領域の位置を用いて、シフト先ディスプレイを決定するように構成してもよい。
【００５３】
すなわち、特定人物が画面の左から右へ移動している場合、当該画像に含まれる顔領域が右側のディスプレイに表示されるように、配置変更部１３４は、第１ディスプレイ１０１をシフト先ディスプレイに特定する。逆に、特定人物が、画面の右から左へ移動している場合、当該画像に含まれる顔領域が左側のディスプレイに表示されるように、配置変更部１３４は、第２ディスプレイ１０２をシフト先ディスプレイに特定する。
（６）上記の実施形態では、顔認識部１３２は、特定人物の顔領域のみを検出する構成としていた。しかし、本発明にはこれに限定されない、一つの画像から複数の人物の顔領域を検出し、検出されたすべての顔領域が２個のディスプレイに跨らずに表示されるように、配置を変更する場合も本発明に含まれる。
（７）上記の実施形態１では、配置変更部１３４がフレームメモリ１４４上で画像の表示位置を変更することにより、画像をシフト処理する構成を有していた。しかし、本発明はこれに限定されない。標準配置１４１で示される態様でフレームメモリ１４４に展開されている画像を出力部１３５が読み出すとき、出力部１３５が読み出し開始位置をシフトすることにより、シフト処理する場合も本発明に含まれる。この場合、配置変更部１３４から出力部１３５へ読み出し開始位置を指定する情報を通知する必要がある。
（８）上記の実施形態および上記の変形例を適宜組み合わせてもよい。
＜４．補足＞
以下、更に本発明の一実施形態としての構成およびその変形例と効果について説明する。
（ａ）本発明の一実施形態に係る携帯型電子機器は、ディスプレイが配置された筐体が２個連結され、２個のディスプレイに跨って一つの画像を表示する携帯型電子機器であって、前記画像に含まれる顔領域を検出する顔認識手段と、表示位置及び表示サイズの条件を定義した標準配置で前記画像を表示した場合に、前記検出された顔領域が２個のディスプレイに跨って表示されるか否かを判断する判断手段と、前記顔領域が２個のディスプレイに跨らずに表示されると判断された場合、前記標準配置態様で前記画像を表示し、前記顔領域が２個のディスプレイに跨って表示されると判断された場合、前記顔領域の全体が何れか一方のディスプレイに表示されるように表示位置及び／又は表示サイズを変更した態様で前記画像を表示する表示制御手段とを備えることを特徴とする。
【００５４】
この構成によると、前記携帯型電子機器は、２個のディスプレイに跨って一つの画像を表示するとき、何れか一方のディスプレイに顔領域の全体を表示するので、ユーザに与える不快感を軽減することができる。
（ｂ）前記携帯型電子機器において、前記表示制御手段は、前記顔領域が２個のディスプレイに跨って表示されると判断された場合、表示される顔領域の面積が大きい一方のディスプレイをシフト先ディスプレイとして特定する特定部と、前記シフト先ディスプレイに、前記顔領域の全体が表示されるように、表示位置及び／又は表示サイズを変更する変更部とを備えることを特徴とする。
【００５５】
この構成によると、表示位置及び／又は表示サイズの変更量を抑制することができるので、画像の表示位置及び／又は表示サイズを変更することによってユーザが感じる違和感を軽減することができる。
（ｃ）前記携帯型電子機器において、前記顔認識手段により検出される前記顔領域は矩形であり、前記表示制御手段は、前記顔領域を形成し、前記２個のディスプレイに跨る一つの辺のうち、前記シフト先ディスプレイからはみ出す部分の長さを算出する算出部を備え、前記変更部は、算出された長さ分だけ前記画像が前記シフト先ディスプレイの方向にシフトするように表示位置を変更し、変更した表示位置及び前記標準配置態様で定義された表示サイズで前記画像を表示することを特徴とする。
【００５６】
この構成によると、顔領域の全体がシフト先ディスプレイに収まる最小限の範囲で表示位置をシフトするので、画像の表示位置を変更することによってユーザが感じる違和感を軽減することができる。
（ｄ）前記携帯型電子機器において、前記顔認識手段により検出される前記顔領域は矩形であり、前記表示制御手段は、前記顔領域を形成し、前記２個のディスプレイに跨る一つの辺に対し、前記シフト先ディスプレイからはみ出す部分の割合を算出する算出部を備え、前記変更部は、算出された割合だけ前記画像の表示サイズを縮小し、前記標準配置態様で定義された表示位置及び縮小した表示サイズで前記画像を表示することを特徴とする。
【００５７】
この構成によると、顔領域の全体がシフト先ディスプレイに収まる最小限の範囲で表示サイズを縮小するので、画像の表示サイズを変更することによってユーザが感じる違和感を軽減することができる。
（ｅ）前記携帯型電子機器において、前記顔認識手段により検出される前記顔領域は矩形であり、前記表示制御手段は、前記顔領域を形成し、前記２個のディスプレイに跨る一つの辺に対し、前記シフト先ディスプレイからはみ出す部分の割合を算出する算出部を備え、前記変更部は、算出された割合だけ前記画像の表示サイズを縮小し、且つ、縮小された長さ分だけ前記画像が前記シフト先ディスプレイの方向にシフトするように表示位置を変更し、変更した表示位置及び縮小した表示サイズで前記画像を表示することを特徴とする。
【００５８】
この構成によると、顔領域の全体がシフト先ディスプレイに収まる最小限の範囲で表示サイズを縮小し、且つ、表示位置をシフトするので、画像の表示サイズ及び表示位置を変更することによってユーザが感じる違和感を軽減することができる。
（ｆ）前記携帯型電子機器において、前記画像は、動画像データを構成する複数の画像の各々であり、前記顔認識手段は、前記動画像データの再生開始から再生終了に至るまで、予め指定された特定の人物の顔が含まれる前記顔領域を各画像から検出することを特徴とする。
【００５９】
例えば、映画やテレビドラマの主人公を前記特定人物として設定すれば、主人公の顔が常に何れか一方のディスプレイに表示される。したがって、主人公の顔が２個のディスプレイに跨って表示されることがなくなり、ユーザに与える不快感を抑制することができる。
（ｇ）前記携帯型電子機器において、前記動画像データを構成する前記画像において検出された前記特定の人物の顔領域が標準配置態様で表示された場合に２個のディスプレイに略二分されて表示される場合、前記特定部は、当該画像の一つ前の画像又は一つ後ろの画像に含まれる前記顔領域の位置を用いて、前記シフト先ディスプレイを特定することを特徴とする。
【００６０】
例えば、当該画像の一つ前の画像又は一つ後ろの画像に含まれる前記顔領域の位置を用いて、特定人物が画面の左から右へ移動しているのか、右から左へ移動しているのかを判断することができる。そこで、特定人物が画面の左から右へ移動している場合、特定部は、当該画像に含まれる顔領域が移動先である右側のディスプレイに表示されるようにシフト先ディスプレイを特定し、逆に、特定人物が、画面の右から左へ移動している場合、特定部は、当該画像に含まれる顔領域が移動先である左側のディスプレイに表示されるようにシフト先ディスプレイを特定することができる。
【００６１】
これにより、画像の表示位置及び／又は表示サイズが変更することによってユーザが感じる違和感を抑制することができる。
【産業上の利用可能性】
【００６２】
本発明は、２個のディスプレイを備え、２個のディスプレイを用いてコンテンツを表示・再生する電子機器の製造及び販売を行う産業において、コンテンツに含まれる人物の顔画像が２個のディスプレイに跨らずに表示されることにより、ユーザにより快適なコンテンツ視聴環境を提供する技術として利用することができる。
【符号の説明】
【００６３】
１      携帯型電子機器
１１    上部筐体
１２    下部筐体
１３    結合部
１０１  第１ディスプレイ
１０２  第２ディスプレイ
１０３  システム制御部
１０４  通信制御部
１０５  アンテナ
１０６  記憶部
１０７  コンテンツ用バッファメモリ
１０８  スピーカ
１０９  コンテンツ表示制御部
１３１  フレームメモリ展開部
１３２  顔認識部
１３３  判断部
１３４  配置変更部
１３５  出力部
１４４  フレームメモリ
【図１】
0005775792.tif 000002
【図２】
0005775792.tif 000003
【図３】
0005775792.tif 000004
【図４】
0005775792.tif 000005
【図５】
0005775792.tif 000006
【図６】
0005775792.tif 000007
【図７】
0005775792.tif 000008
【図８】
0005775792.tif 000009
【図９】
0005775792.tif 000010
【図１０】
0005775792.tif 000011